(57)【要約】【課題】ＩＣカードの有効期限が所定の日数に満たない場合に駅務機器で使用された場合には、当該ＩＣカードの印刷面に有効期限を印刷し、当該ＩＣカードの利用者に通知し、この通知に対して更新処理を行った場合は、印刷した当該有効期限を消去する駅務機器を提供する。【解決手段】ＩＣカードＴの読取り・書込み機能及び当該ＩＣカードＴの印刷面に乗車情報を印刷するＩＣカード処理部１３及びこれらを制御する制御部（制御手段）１９を有する複合発券機（駅務機器）１０であって、ＩＣカード処理部１３で読み取られたＩＣカードＴの有効期限が３０日以下の場合に、制御手段１９は、当該ＩＣカードＴの有効期限を当該ＩＣカードＴの印刷面に当該印刷手段により印刷する。【選択図】  図１
2014119842.tif 000002
【特許請求の範囲】
【請求項１】
ＩＣカードの読取り・書込み機能を有するＩＣカード処理部と、
ＩＣカードの印刷面に乗車情報を印刷する印刷手段と、
前記ＩＣカード処理部及び印刷手段を制御する制御手段と、
を備え、
前記制御手段は、
前記ＩＣカード処理部で読み取られたＩＣカードの有効期限が所定の日数以下の場合に、当該ＩＣカードの印刷面にメッセージを印刷するように前記印刷手段を制御する駅務機器。
【請求項２】
前記制御手段はまた、
有効期限が印刷されたＩＣカードが当該有効期限内に更新されたとき、当該更新された有効期限までの日数が前記所定の日数を超える場合に、当該印刷されている有効期限を消去するメッセージ消去手段を備えた請求項１記載の駅務機器。
【請求項３】
前記制御手段はさらに、
有効期限が印刷されたＩＣカードが当該有効期限内に更新された結果、更新前に小児扱いであった利用者が更新後大人扱いになる場合は、前記メッセージ消去手段により更新前の表示を消去した後、前記印刷手段により大人扱いであることを示す表記を印刷する請求項１又は請求項２記載の駅務機器。
【請求項４】
前記メッセージは、前記ＩＣカードの有効期限、更新処理を促す表記又は大人扱いであることを示す表記である請求項１記載の駅務機器。
【発明の詳細な説明】
【技術分野】
【０００１】
本発明の実施形態は、駅務機器に適用する。
【背景技術】
【０００２】
近年、駅務機器の自動化、無線化が進み、利用者は非接触通信可能なＩＣカードで構成された乗車券（普通乗車券、定期券を含む）を自動改札機に翳して入出場を行うことが一般的になってきた。しかしながら、この種のＩＣカードには、有効期限が設定されているものがある。
【０００３】
例えば、多機能カードと称されるクレジット機能付きＩＣカードや小児乗車券として使用するＩＣカードなどである。クレジットカードの場合は、クレジットカードの有効期限が設定されており、当該クレジットカードの有効期限を超えて乗車券として利用することはできない。また、小児乗車券として使用されるＩＣカードの場合には、当該小児として扱われる期限を過ぎた場合には、小児としての利用はできないことになる。小児用ＩＣカードが有効期限切れになった場合の有効期限切れ通知システムが知られている（例えば、特許文献１参照。）。
【先行技術文献】
【特許文献】
【０００４】
【特許文献１】特開２０１１−１１３５０７号公報
【発明の概要】
【発明が解決しようとする課題】
【０００５】
上述したクレジット機能付きＩＣカードを定期券として使用する場合、ＩＣカードの表面にはカード番号、有効期限及び氏名が表示されている。一方、当該ＩＣカードの裏面には定期券としての乗車区間、乗車期限、氏名、年齢、性別などの乗車情報が再書込み可能な印刷方式により印刷されている。利用者は、当該ＩＣカードを定期券として自動改札機などの駅務機器に使用する場合は、当該ＩＣカードの裏面に印刷されている乗車情報を確認することが多いため、表面に表示されているＩＣカードの有効期限に気がつかず使用し、ＩＣカードの有効期限切れにより自動改札機により通行拒否される場合がある。これは、当該ＩＣカードを複合発券機、券売機、窓口機などで使用する場合も同様である。
【０００６】
本発明は、上述した課題を解決するためになされたもので、例えば、当該ＩＣカードの有効期限の３０日以内に、当該ＩＣカードが駅務機器で使用された場合には、ＩＣカードに当該ＩＣカードの有効期限を印刷し、当該ＩＣカードの利用者に有効期限を通知する機能を有する駅務機器を提供することを目的とする。
【課題を解決するための手段】
【０００７】
上記目的を達成するために、本発明の請求項１記載の駅務機器は、ＩＣカードの読取り・書込み機能を有するＩＣカード処理部と、ＩＣカードの印刷面に乗車情報を印刷する印刷手段と、前記ＩＣカード処理部及び印刷手段を制御する制御手段と、を備え、前記制御手段は、前記ＩＣカード処理部で読み取られたＩＣカードの有効期限が所定の日数以下の場合に、当該ＩＣカードの印刷面にメッセージを印刷するように前記印刷手段を制御する。
【図面の簡単な説明】
【０００８】
【図１】実施例１に係る駅務機器が接続された駅務機器システムの構成を示す図
【図２】実施例１に係る複合発券機でＩＣカードに有効期限を印刷する態様を説明する図（その１）
【図３】実施例１に係る複合発券機でＩＣカードに有効期限を印刷する態様を説明する図（その２）
【図４】実施例１に係る複合発券機でＩＣカードにメッセージを印刷する際の処理を示すフローチャート
【発明を実施するための形態】
【０００９】
本実施例に係る駅務機器は、ＩＣカード処理部、操作表示部及び通信制御部を有して構成される。
【００１０】
ＩＣカード処理部は、当該ＩＣカードを構成するメモリ（記憶部）の内容を読取る読取部、当該メモリに書込む書込部及び当該ＩＣカードの印刷面に有効期限などの情報を印刷する印刷部を有する。
【００１１】
操作表示部は、利用者が当該駅務機器を操作する操作部と、操作結果を表示する表示部を有し、当該利用者の要求に基づいて操作案内を行うと共に、利用者によって入力された入力情報を表示し、かつ、当該入力情報に基づいて処理された結果を当該表示部に表示する。操作手段としては、表示部表面配置されたタッチパネル及びキーボードなどが用いられ、駅務機器の種類により最適なものが選択される。
【００１２】
通信部は、駅務機器と上位装置を、ＬＡＮを介して通信する。ＩＣカード読取部で読み取ったＩＣカードの乗車情報は当該駅務機器によって乗車判定が行われる。また、その際に作成された当該ＩＣカードの一件明細及び当該ＩＣカード取り扱い情報は上位装置に送信される。以下、図面を参照して本実施例に係る駅務機器としての複合券売機を用いた場合に説明する。
【実施例１】
【００１３】
図１は、実施例１に係る駅務機器が接続された駅務機器システムの構成を示す図である。本実施例１に係る駅務機器システムは、複合発券機１０、改札機２０、券売機３０、窓口機４０及び上位機器５０などの駅務機器がＬＡＮ（Local Area Network：特定領域内のネットワーク）６０を介して上位装置５０に接続される。また、上位装置５０は、ネットワーク７０を介してセンター装置２００に接続される。
【００１４】
以下、駅務機器の一例として複合発券機１０を用いて有効期限を印刷し、通知する方法を説明する。
【００１５】
複合発券機１０は、複合発券部１１、氏名転写部（印刷手段）１２、ＩＣカード処理部１３、専用操作盤１５、係員表示部１６、及びジャーナルプリンタ部１８及び制御部（制御手段）１９などで構成される。
【００１６】
複合発券部１１は、定期券・各種カード類などのＰＥＴ券、普通券・回数券・精算券・往復券などのエドモンソン券、団体券・企画券などの大型券を発行することができる。
【００１７】
氏名転写部（印刷手段）１２は、氏名・年齢読取部とナンバリング部で構成され、発券時に申込用紙の氏名・年齢を読取ると共に、券番号・金額などをドットプリンタでナンバリング印刷する。
【００１８】
ＩＣカード処理部１３は、ＩＣカードの読取り・書込み、及び印刷（片面印刷）を行う。
【００１９】
通信制御部１４は、ＬＡＮ６０を介して上位装置５０に接続され、複合発券機で処理した情報を上位装置５０に送信する。当該複合発券機１０でＩＣ定期券の更新処理を行った場合は、乗車期間が変更になる。この場合は、当該更新後の乗車期間が上位装置５０を介してセンター装置２００に送信される。
【００２０】
専用操作盤１５は、ＬＣＤタッチパネル１５ａ及びキーボード１５ｂを有して構成され、係員が利用者からの要求に基づいて操作する。
【００２１】
係員表示部１６は、専用操作盤１５の操作の際に入力した情報及び、上記乗車券を読み取った際、当該読み取った乗車券の乗車情報及び個人情報を表示する。
【００２２】
ジャーナルプリンタ部１７は、発券時の１件明細及び締切り集計記録を印字する。
【００２３】
制御部１９は、ＣＰＵ、メモリ及びＩ／Ｏ（Input Output:入出力）を有し当該Ｉ／Ｏに接続された各部の動作を制御する。
【００２４】
図２は、実施例１に係る複合発券機１０でＩＣカードＴに有効期限を印刷する態様を説明する図（その１）で、有効期限間近に使用した場合の例である。ＩＣカードＴ１が例えば小児定期券の場合、当該ＩＣカードＴ１には、定期券の乗車期限として「年・月・日（ＹＹ．ＭＭ．ＤＤ）」及び「小児」が印刷されている。
【００２５】
図には、当該定期券Ｔ１を用いて、係員に、例えば、チャージなどの使用を依頼した場合を図示している。当該ＩＣカードＴ１は小児定期券であるため、当該小児定期券利用者の年齢が、定められた要件（例えば、１２歳到達後の次年度の３月３１日）に到達し、継続して当該ＩＣカードＴ１を使用する場合、当該ＩＣカードＴ１は、上記要件の日時に当該ＩＣカードが有効期限に到達し、利用できなくなる。しかしながら、当該要件到達日に小児運賃適用から大人運賃適用に切り替えることによりＩＣカードＴ１に印刷されている「小児」は消去されＩＣカードＴ２になる。例えば、小中一貫校に通学する利用者が、小学校から同一通学場所にある中学校に通学する場合が該当する。この場合は、小学校で使用していたＩＣカードＴ１から「小児」が消去される。
【００２６】
また、上記チャージなどの使用日時から上記定められた要件の日時までの日数が３０日以下の場合には、制御部１９は、当該ＩＣ定期券Ｔ３の印刷面に当該ＩＣカードＴ３の有効期限（ＭＭ／ＤＤ）を印刷する。利用者に当該ＩＣカードの有効期限が近いことを通知し、早めに更新等の処理を行うことを気づかせるためである。通常、定期券の利用者は、定期券の利用期限は券面に表示されているため、注意が喚起されるが、当該印刷面に当該ＩＣカードの利用期限は印刷されていないため、気付かない場合が多い。
【００２７】
同様のことは、クレジットカード機能を有するＩＣカードの場合も同様である。クレジットカードの場合は、当該クレジットカードの有効期限は、クレジットカード表面に表示されているが、定期期限、乗車区間等の乗車情報は、裏面に印刷されているため、表面の有効期限に気付かない場合がある。従って、この場合にも、当該ＩＣカードが使用された場合、当該使用された日時が有効期限から３０日以下の場合には、利用者に対して更新手続きを行うことを注意喚起するために有効期限を印刷する。当該ＩＣカードを使用し、自動改札機で入場が阻止されるのを防ぐためである。
【００２８】
図３は、実施例１に係る複合発券機１０でＩＣカードに有効期限を印刷する図（その２）で、更新の場合の例である。
【００２９】
ＩＣカードＴ４の更新手続き日が有効期限の３０日以下の場合、制御部１９は、当該ＩＣカードＴ４の乗車情報の更新処理を行うと共に、当該ＩＣカードＴ４の印刷面に有効期限（ＭＭ／ＤＤ）を印刷し、利用者に有効期限が近いことを通知する一例である。
【００３０】
ＩＣカードＴ５は、更新手続きの際、それまで小児運賃割引適用であったＩＣカードが更新により大人運賃適用になった場合に態様が変更になったことを通知する一例である。
【００３１】
以上説明した例は、何れもＩＣカードの印刷面に当該ＩＣカードの有効期限が近いことを当該ＩＣカードの印刷面に有効期限又は利用態様が変更されたことを印刷することにより当該利用者に通知し、更新を促す場合の一例である。
【００３２】
図４は、実施例１に係る複合発券機１０でＩＣカードＴにメッセージを印刷する際の処理を示すフローチャートである。メッセージ印刷には本実施例に係る有効期限を印刷する場合が含まれる。
【００３３】
複合発券機１０は、利用者が係員に提示したＩＣカードＴに対する利用者からの要求に基づき、チャージ処理、継続定期券発行などの業務処理を行う（Ｓ１）。業務終了後、ＩＣカードＴの有効期限を参照する（Ｓ２）。具体的には、ＩＣカードＴに対して有効期限送信要求を送信する（Ｓ３）。
【００３４】
ＩＣカードＴは、複合発券機１０からの有効期限送信要求に対して、有効期限を送信する（Ｓ４）。
【００３５】
複合発券機１０は、ＩＣカードＴから受信した有効期限が有効期限内か否か判定する（Ｓ５）。この判定の結果、有効期限が有効期限内でない場合（Ｓ５のＮｏ）、当該ＩＣカードＴは利用できないＩＣカードであることから、当該利用者に返却し当該処理を終了する。
【００３６】
一方、有効期限内の場合（Ｓ５のＹｅｓ）、更新処理であるか否か確認する（Ｓ６）。この確認の結果、更新処理だった場合（Ｓ６のＹｅｓ）、当該ＩＣカードＴの有効期限が更新されているため、当該更新後の有効期限までの日数が所定の日数（例えば、３０日）を超えている場合（Ｓ０９のＹｅｓ）、有効期限などのメッセージを消去する（Ｓ１０、メッセージ消去手段）。
【００３７】
有効期限は更新の際、新たな有効期限が設定され、通常、有効期限までの日数が所定の日数を超えることになるため、それ以前に表示された有効期限などのメッセージを消去する必要がある。なお、本実施例では、このメッセージ消去を、当該ＩＣカードＴに有効期限などのメッセージが印刷されているか否かに関わらず当該ステップで消去しているが、有効期限などのメッセージが印刷されている場合に消去するようにしてもよい。
【００３８】
有効期限などのメッセージを消去したＩＣカードＴは利用者に返却される（Ｓ１１）。
【００３９】
一方、ステップＳ０６で更新処理でなく（Ｓ６のＮｏ）、かつ、有効期限までの日数が所定の日数（例えば、３０日）を超えている場合（Ｓ７のＹｅｓ）、ＩＣ定期券には本実施例に係る有効期限などのメッセージの印刷は不要であるため利用者に返却する（Ｓ１１）。
【００４０】
一方、更新処理でなく、かつ、有効期限までの日数が所定の日数に満たない場合（Ｓ７のＮｏ）、当該ＩＣカードＴの券面に有効期限などのメッセージを印刷し（Ｓ８、メッセージ印刷手段）、利用者に返却する（Ｓ１１）。ＩＣカードに有効期限などのメッセージを印刷して有効期限切れが近いことを通知するためである。
【００４１】
以上説明したように、本実施例１によれば、ＩＣカードを構成するメモリの内容を読取る読取部及びメモリに書込む書込部を有するＩＣカード処理部並びにＩＣカードの印刷部に印刷するＩＣカード処理部などの印刷手段を有する駅務機器で、ＩＣカードが使用された場合には、所定の時期的要件のもとで、当該ＩＣカードに有効期限を印刷し、当該ＩＣカードの利用者に通知する機能を有する駅務機器を提供することができる。
【００４２】
本実施例１では、有効期限が所定の日数以下であることを「有効期限（ＭＭ／ＤＤ）」を印刷する場合に付いて説明したが、これに限らず「更新処理が必要」などのメッセージ印刷、又は小児扱いが大人扱いになる場合は大人扱いであることを示す表記を印刷する（メッセージ印刷手段）場合も同様である。
【００４３】
また、本実施例１では、複合発券機を用いた場合を説明したが、同様の機能を有する券売機又は窓口機でも適用が可能である。
【符号の説明】
【００４４】
１０  複合発券機
１１  複合発券部
１２  氏名転写部
１３  ＩＣカード処理部
１５  専用操作盤
１６  係員表示部
２０  改札機
３０  券売機
４０  窓口機
５０  上位機器
６０  ＬＡＮ
７０  ネットワーク
【図１】
2014119842.tif 000003
【図２】
2014119842.tif 000004
【図３】
2014119842.tif 000005
【図４】
2014119842.tif 000006